(57)【特許請求の範囲】
【請求項１】
メダルおよびボール形状物をフィールド面に提供して遊技を行なうプッシャー型遊技機であって、
前記フィールド面に接して相対的に往復動可能なプッシャー部と、
フィールド面側部に設けられたメダル回収口と、
一端が、前記プッシャー部が往復する領域近くに位置し、他端が、前記フィールド面の開放端近くに位置し、前記プッシャー部の往復動により移動するボール形状物を、前記メダル回収口方向へ移動しないよう誘導する誘導部材と、
前記誘導部材が前記メダルから力を受けて上方に退避可能となるように回転自在に支持する支持部と、を備えることを特徴とするプッシャー型遊技機。
【請求項２】
一対の前記誘導部材と、前記フィールド面の開放端部に設けられ前記ボール形状物を搬送する搬送機構とを備え、
前記一対の誘導部材は、前記プッシャー部から前記開放端部の搬送機構へ至るに従って相互間の距離が狭くなるように配置されていることを特徴とする請求項１記載のプッシャー型遊技機。
【請求項３】
前記誘導部材は、
前記ボール形状物に接触する複数の誘導部と、
前記各誘導部を支持する複数のアーム部と、を備え、前記支持部は、前記各アーム部を回転自在に支持することを特徴とする請求項１または請求項２記載のプッシャー型遊技機。
【請求項４】
前記誘導部材は、最下端に前記フィールド面の側壁と反対側から前記側壁の方向へ傾斜する傾斜面が設けられていることを特徴とする請求項１から請求項３のいずれかに記載のプッシャー型遊技機。
【発明の詳細な説明】
【０００１】
【発明の属する技術分野】
本発明は、フィールド面上に置かれた遊技要素に対して、直接または間接的にフィールドの開放端部方向への力を付与し、その開放端部より遊技要素を落下させるプッシャー型遊技機に関する。
【０００２】
【従来の技術】
従来のプッシャー型遊技機には、メダルシュータから投入されたメダルが、メダルチャッカーを通過すると、スロット装置におけるスロットが回転し、そのスロット装置において所定の役が揃うと、多数のメダルが堆積したフィールド面上に抽選用ボールが供給されるものがある。このプッシャー型遊技機では、プレイヤーがメダルと共に抽選用ボールをフィールド面の開放端部から落とすことに成功すると、その抽選用ボールは、プレイヤーに対してより高い配当を与えうる抽選を行う抽選装置へ移送される。そして、その抽選装置では、抽選用ボールを用いて物理的な抽選が行なわれる。この抽選に当選すると、大量のメダルがフィールド面上に供給される。
【０００３】
上記のようなプッシャー型遊技機のフィールド面の側部には、いわゆる「親落ち」としてメダルを回収するメダル回収口が設けられている。プッシャー部から押圧力を受けた複数のメダルは、フィールド面の開放端部方向を中心として左右に広がる扇形を形成するように移動していく。そして、フィールド面の側部付近にあるメダルが、プッシャー部による押圧力を受けてフィールド面からはみ出すと回収口で回収される。
【０００４】
一方、フィールド面上に供給された抽選用ボールは、球形に形成されているため、メダルに埋もれることはない。このため、常にメダルの上に位置する。従って、メダルがプッシャー部から押圧力を受けると、メダルの移動に伴ってその上にある抽選用ボールも移動する。しかし、抽選用ボールを検出するためのセンサは、フィールド面の開放端部側に設けられているため、抽選用ボールがメダルと共にメダル回収口の方向へ移動することは好ましくない。このため、従来のプッシャー型遊技機には、フィールド面上の抽選用ボールをメダル回収口の方向へ移動させないようにガード部（または誘導部材）が設けられている。
【０００５】
【特許文献１】
特開２００２−２５３８４２号公報
【発明が解決しようとする課題】
しかしながら、ゲーム性を向上させるため、従来よりも直径が小さい抽選用ボールをフィールド面上に供給した場合、不都合が生じる場合がある。すなわち、従来よりも直径が小さい抽選用ボールをフィールド面上に供給する場合は、上記のガード部を、フィールド面を基準として従来よりも低い位置に取り付けなければならない。
【０００６】
ところが、従来のガード部は、フィールド面の側部などに固定されていたため、フィールド面との隙間が狭いと、プッシャー部による押圧力を受けてメダル回収口へ向かう複数のメダルがフィールド面とガード部との間に詰まる恐れが生じる。メダルがフィールド面とガード部との間に詰まるとメダル回収口でメダルが回収され難くなるため、このようなメダルの詰まりを解消する構成が望まれる。
【０００７】
本発明は、このような事情に鑑みてなされたものであり、メダルを円滑に移動させると共に、抽選用ボールのようなボール形状物を所望の方向に誘導することができるプッシャー型遊技機を提供することを目的とする。
【０００８】
【課題を解決するための手段】
上記の目的を達成するため、本発明のプッシャー型遊技機は、メダルおよびボール形状物をフィールド面に提供して遊技を行なうプッシャー型遊技機であって、前記フィールド面に接して相対的に往復動可能なプッシャー部と、フィールド面側部に設けられたメダル回収口と、一端が、前記プッシャー部が往復する領域近くに位置し、他端が、前記フィールド面の開放端近くに位置し、前記プッシャー部の往復動により移動するボール形状物を、前記メダル回収口方向へ移動しないよう誘導する誘導部材と、前記誘導部材が前記メダルから力を受けて上方に退避可能となるように回転自在に支持する支持部と、を備えるメダルおよびボール形状物をフィールド面に提供して遊技を行なうプッシャー型遊技機であって、前記フィールド面に接して相対的に往復動可能なプッシャー部と、フィールド面側部に設けられたメダル回収口と、一端を前記プッシャー部が往復する領域近くに位置し、他端を前記フィールド面の開放端近くに位置し、前記プッシャー部の往復動により移動するボール形状物を、前記メダル回収口方向へ移動しないよう誘導する誘導部材と、前記誘導部材を上方に退避可能に回転自在に支持する支持部と、を備えることを特徴としている。
【０００９】
このように、誘導部材が上方に退避可能に回転自在に支持されているので、誘導部材は、メダルが接触すると上方へ退避することができる。これにより、メダルがフィールド面と誘導部材との間に詰まることがなくなる。その結果、プッシャー部によってメダルを円滑に移動させることが可能となる。
【００１０】
また、本発明のプッシャー型遊技機において、一対の前記誘導部材と、前記フィールド面の開放端部に設けられ前記ボール形状物を搬送する搬送機構とを備え、前記一対の誘導部材は、前記プッシャー部から前記開放端部の搬送機構へ至るに従って相互間の距離が狭くなるように配置されていることを特徴としている。
【００１１】
このように、一対の誘導部材は、プッシャー部から開放端部の搬送機構へ至るに従って相互間の距離が狭くなるように配置されているので、ボール形状物をフィールド面の開放端部に設けられているボール形状物用の搬送機構の方向へ誘導することが可能となる。これにより、ボール形状物がメダル回収口方向へ移動することなく、ボール形状物を所望の方向へ誘導することができる。
【００１２】
また、本発明のプッシャー型遊技機において、前記誘導部材は、前記ボール形状物に接触する複数の誘導部と、前記各誘導部を支持する複数のアーム部と、を備え、前記支持部は、前記各アーム部を回転自在に支持することを特徴としている。
【００１３】
このように、ボール形状物に接触する複数の誘導部と、前記各誘導部を支持する複数のアーム部と、を備えているので、各誘導部でそれぞれボール形状物を誘導するためのセクションを構成することができる。すなわち、フィールド面上にあるメダルは、堆積の状態が均一ではないため、セクション毎に接触するメダルの量が異なる。本発明では、各誘導部で構成されるセクションは、各アーム部を介して支持部により回転可能に支持されているので、メダルが各セクションのいずれかの下側に接触すると、そのセクションは上方へ退避することができる。すなわち、メダルの堆積状態に応じて各セクションを上方へ退避させることによって、誘導すべきボールを適切な位置で誘導することができる。メダルとボール形状物をフィールド面に載せる場合、メダルの堆積量が少ない場合には各セクションが退避する度合いも少なくなり、そのメダルの上にあるボール形状物を適切な位置で誘導することができる。また、メダルの堆積量が多い場合には、各セクションが退避する度合いも大きくなるが、誘導すべきボール形状物もそれらのメダル上にあるため、適切な位置でボール形状物を誘導することが可能となる。
【００１４】
また、本発明に係るプッシャー型遊技機において、前記誘導部材は、最下端に前記フィールド面の側壁と反対側から前記側壁の方向へ傾斜する傾斜面が設けられていることを特徴としている。
【００１５】
このように、誘導部材の最下端に傾斜面を有するので、メダルが傾斜面に接触すると、誘導部材を押し上げることができる。これにより、誘導部材が上方に退避するので、メダルが誘導部材の下側を容易に通過することが可能となる。その結果、メダルがフィールド面と誘導部材との間に詰まることがなくなる。
【００１６】
【発明の実施の形態】
図１は、本実施の形態に係るプッシャー型遊技機の全体を示す斜視図であり、図２は、プレイヤーがゲームを行なうステーションのフィールド付近を示す拡大図である。プッシャー型遊技機１は、複数のプレイヤーが同時にゲームを行なうことができるように複数のステーション２を備えている。各ステーション２には、プレイヤーが遊技要素の一つであるメダルを投入するためのメダルシュータ３が２個ずつ設けられている。
【００１７】
各ステーション２には、メダルを蓄積するフィールド面４が設けられている。本実施の形態では、フィールド面４には、遊技要素の他の一つである抽選用ボールも乗せられる。また、各ステーション２には、図２中、矢印Ａおよび矢印Ｂの方向に往復動するプッシャー部５が設けられている。このプッシャー部５が矢印Ａの方向へ動くことによって、フィールド面４上のメダルまたは抽選用ボールが押圧される。そして、メダルおよび抽選用ボールは矢印Ａの方向へ移動する。フィールド面４は、矢印Ａ方向における開放端部４ａで終了しており、開放端部４ａからはみ出たメダルまたは抽選用ボールは鉛直下方へ落下することとなる。ここで、プッシャー部５が往復する距離は、フィールド面４の矢印ＡおよびＢの方向の長さよりも小さいので、すべてのメダルおよび抽選用ボールが開放端部４ａから落下するわけではない。このため、複数のメダルおよび抽選用ボールがフィールド面４上に残る。
【００１８】
フィールド面４の上方には、ビデオリール部６が設けられており、このビデオリール部６による抽選の結果に応じて、抽選用ボール供給部７からフィールド面４上に抽選用ボールが供給される。また、ビデオリール部６による抽選の結果に応じて、フィールド面４にメダルを供給しても良い。
【００１９】
フィールド面４の開放端部４ａに近接した位置には、開放端部４ａに沿って搬送機構１０が設けられている。この搬送機構１０は、開放端部４ａに沿う回転軸回りに回転駆動可能に設けられている。この搬送機構１０は、開放端部４ａから落下したメダルを受け止めてメダルを検出するセンサへ搬送する。また、搬送機構１０の中央部は、開放端部４ａから落下して抽選用ボールを受け止めて、抽選用ボールを検出するセンサへ搬送する。また、フィールド面４において、図２中矢印Ａ方向と概略直交する方向の側部には、図示しないメダル回収口が設けられている。このメダル回収口でいわゆる「親落ち」としてメダルが回収される。
【００２０】
フィールド面４には、フィールド面４上の抽選用ボールを、搬送機構１０の中央部の方向へ誘導するための一対の誘導部材１１が設けられている。誘導部材１１はプッシャー部５が往復する領域近くに一端が、他端がフィールド面４の開放端部４ａ近くに位置している。この一対の誘導部材１１を構成する個々の誘導部材間の距離が、フィールド面４の開放端部４ａへ到るに従って次第に狭くなっているので、抽選用ボールをフィールド面４の開放端部４ａにおける中央の方向へ誘導することが可能となる。これにより、抽選用ボールがメダル回収口方向へ移動することなく、所望の方向へ誘導することができる。
【００２１】
次に、誘導部材１１について、図３から図６を参照して説明する。図３に示すように、誘導部材１１は、抽選用ボールを搬送機構１０の中央部へ誘導する誘導部１２と、誘導部１２の上部域に達し誘導部１２を支持するアーム部１３とから構成されている。アーム部１３は、「軸」としての回転軸１４を中心に、支持部１５によって回転自在に支点支持されている。従って、誘導部１２およびアーム部１３は、回転軸１４を中心に、自由に回転あるいは揺動することができる。なお、待機状態では、図３に示すように、誘導部材１１は、自重によって最も下がった位置で静止している。このとき、誘導部１２の最下端は、フィールド面４に接していても良い。
【００２２】
また、誘導部１２は、図３に示すように、断面が矩形に形成されており、最下端には、傾斜面１２ａが形成されている。傾斜面１２ａは、フィールド面４の側壁４ｂと反対側から側壁４ｂの方向へ傾斜している。このように、傾斜面１２ａが誘導部１２の最下端に設けられているので、メダルＭが傾斜面１２ａに接触すると、メダルＭによる傾斜面１２ａへの押圧力のうち、傾斜面１２ａに対する垂直成分の押圧力が誘導部１２を上方へ押し上げるように作用する。これにより、誘導部１２およびアーム部１３が回転軸１４を中心に、図３中、時計周りの方向へ回転する。その結果、誘導部１２が上方に退避するので、メダルＭが誘導部１２の下側を容易に通過することが可能となる。
【００２３】
また、図４中、鎖線Ｒで囲んだ部分を拡大すると、図５に示すようになる。図５において、メダルＭの「厚さｔ」と、傾斜面１２ａのフィールド面４からの「高さＷ」との関係は、
Ｗ＞ｔ
となっている。これにより、メダルＭの１枚分の厚さよりも傾斜面１３ａのフィールド面４からの高さの方が大きくなるので、誘導部１２は、メダルＭが１枚であっても、そのメダルＭから力を受けて上方へ退避することが可能となる。
【００２４】
次に、本実施の形態に係るプッシャー型遊技機によるゲームについて説明する。プレイヤーが図１に示すメダルシュータ３からメダルを投入すると、メダルは起立状態でメダルシュータ３からフィールド面４に飛び出してくる。そのメダルはフィールド面４上を転がって他のメダルまたはフィールド面４の側壁に衝突するなどして転がる勢いを失っていき、やがてフィールド面４の上で止まる。
【００２５】
プッシャー部５は図２中、矢印ＡおよびＢの方向で往復動しており、フィールド面４上のメダルまたは抽選用ボールに対して矢印Ａの方向に力を与える。投入されたメダルがプッシャー部５と他のメダルとの間にうまく入り込むと、そのメダルはプッシャー部５から矢印Ａの方向に直接力を受ける。プッシャー部５から力を受けたメダルは、矢印Ａの方向へ少しずつ移動しながら、既にフィールド面４上に蓄積されていた他のメダルに力を伝える。力を受けたメダルは矢印Ａの方向へ移動しながら他のメダルに力を加え、次々とその力が伝達されていく。フィールド面４上の複数のメダルは、扇形を描くように開放端部４ａ方向および側壁方向へ移動する。そして、開放端部４ａ付近にあるメダルが力を受けて矢印Ａの方向へ移動した時に開放端部４ａからはみ出ると、鉛直下方に落下する。落下したメダルは、図１に示す受け皿２ａで受けられる。プレイヤーは、受け皿のメダルを配当として取得することができる。
【００２６】
一方、メダル回収口方向に移動した複数のメダルのうち、一部のメダルは、誘導部材１１の誘導部１２に接触する。このとき、複数枚のメダルＭが積み重なった状態で誘導部１２に接触した様子を図６に示す。図６に示すように、誘導部１２は、アーム部１３に固定されており、アーム１３が回転軸１４を中心として図中Qの方向へ回転可能であるので、結局誘導部１２はメダルＭから力を受けて上方（図６中Qの方向）へ退避する。このとき、誘導部１２の最下端には傾斜面１２ａが設けられているので、誘導部１２は容易に退避することが可能となっている。このように、複数枚のメダルＭが誘導部１２に接触しても、誘導部１２は上方へ退避することができるので、メダルＭが誘導部１２とフィールド面４との間に詰まることがなくなり、円滑にメダルＭを移動させることが可能となる。誘導部材１１の下方を通過したメダルＭは、メダル回収口で回収される。
【００２７】
一方、フィールド面４の開放端部４ａに近接する位置には、搬送機構１０が設けられており、通常ゲームでは、搬送機構１０は駆動力を受けて回転軸を中心として回転している。開放端部４ａから落下したメダルが、搬送機構１０における羽根部に受け止められると、そのメダルは羽根部と共に回転しながら搬送される。そして、羽根部がある角度回転するとそのメダルは鉛直下方に落下する。落下先にはセンサが設けられており、落下してきたメダルを非接触方式で検出する。メダルが検出されると、その個数がカウントされてメモリに記録される。なお、センサを通過したメダルは、搬送機構１０に搬送されなかったメダルと同様に、受け皿２ａで受けられ、プレイヤーの配当となる。
【００２８】
このようにメダルがカウントされると、その度に、ビデオリール部６による抽選が開始される。ここで、ビデオリール部６による抽選が行なわれているときでも、プレイヤーはメダルを投入することができ、開放端部４ａから落ちたメダルが搬送機構１０に受け止められて搬送され、センサにより検出された場合は、検出されたメダルのカウントの値がメモリにストックされていく。
【００２９】
ビデオリール部６は、例えば、３つのリールをビデオで表示する。ビデオリール部６は、リールを回転表示させることによって、停止表示していた各種のシンボルを変動表示する。そして、所定のタイミングで各リールを停止させる。シンボルが停止表示されたときに、所定のシンボルの組合せが成立した場合は、入賞となる。入賞があった場合は、フィールド面４に多数のメダルが供給される。
【００３０】
一方、ビデオリール部６における抽選の結果、抽選用ボールを獲得するためのシンボルの組合せが停止表示されたときは、抽選用ボール供給部７から一つの抽選用ボールがフィールド面４に供給される。抽選用ボールは、球体であるため、メダルの下に入り込むことはない。抽選用ボールは、常に、メダルの上に乗っているか、フィールド面４に直接触れている。このように、フィールド面４の上には、ゲーム状態に応じて、メダルおよび抽選用ボールが乗ることとなる。
【００３１】
上記と同様に、プレイヤーがメダルシュータ３からメダルを投入し、その投入されたメダルがプッシャー部５と他のメダルとの間にうまく入り込むと、そのメダルはプッシャー部５から矢印Ａの方向に直接力を受ける。プッシャー部５から力を受けたメダルは、矢印Ａの方向へ少しずつ移動しながら、既にフィールド面４上に蓄積されていた他のメダルおよび抽選用ボールに力を伝える。力を受けたメダルおよび抽選用ボールは矢印Ａの方向へ移動していく。ここで、フィールド面４には、一対の誘導部材１１が設けられているため、抽選用ボールは、搬送機構１０における中央の羽根部の方向へ誘導される。従って、抽選用ボールを乗せたメダルが、メダル回収口の方向へ移動したとしても、抽選用ボールがメダル回収口へ接近していくことはない。抽選用ボールは誘導部材１１によって、搬送機構１０における中央の方向へ誘導される。そして、抽選用ボールが、開放端部４ａ付近に到達して、さらに力を受けて矢印Ａの方向へ移動した時に開放端部４ａからはみ出ると、鉛直下方に落下する。
【００３２】
開放端部４ａから落下した抽選用ボールは、回転軸と共に回転する羽根部に受け止められて、一対の誘導壁によって誘導されながら回転軸を中心に回転する。そして、その羽根部が、抽選用ボールを受け止めてからある角度回転すると抽選用ボールは下方へ転がり始め、やがてレールに乗り、そのレール上を転がりながら、センサへ到達する。センサは、抽選用ボールを検出してカウント１を記録する。そして、例えば、センサにより検出された抽選用ボールが５個、すなわち、カウントが５となった場合には、ボーナス抽選が行なわれる。
【００３３】
ボーナス抽選は、図１に示すプッシャー型遊技機１の中央に設けられたルーレット部２０で行なわれる。開放端部４ａから抽選用ボールを５個落とすことに成功したプレイヤーに対し、５個の抽選用ボールがルーレット部２０に打ち出される。５個の抽選用ボールは、ルーレット部２０内を転がりながら周回し、やがて各ポケットに収容される。そして、抽選用ボールが収容されたポケットの位置に応じて、プレイヤーに配当が与えられる。この配当としては、フィールド面４に多量のメダルを提供しても良いし、さらに、より大きな抽選用ボールを用いて、ジャックポット抽選を行なっても良い。
【００３４】
また、上記のビデオリール部６における抽選、またはルーレット部２０における抽選の結果、特定の入賞が成立した場合に、プレイヤーへの配当として、搬送機構１０の回転速度を、メダルが受け止められやすくなるように変更してもよい。
【００３５】
なお、上記実施の形態の変形例として、以上の誘導部材１１を、長さ方向に複数に分割したセクションの集合で構成することも可能である。すなわち、図７に示すように、誘導部材７０において、誘導部７１をそれぞれアーム部７２で支持する。各アーム部７２は、回転軸７３によって支点支持され、回転軸７３を中心に回転することができる。回転軸７３は、支持部７４により支持される。この誘導部材７０をフィールド面４の側壁（４ｂ）に取り付けた様子を図８に示す。フィールド面４上にあるメダルは、堆積の状態が均一ではないため、誘導部７１毎に接触するメダルの量が異なる。本変形例では、誘導部材７０における各セクションとしての誘導部７１は、アーム部７２および回転軸７３によって、少なくとも上下方向の動きが許容されているので、メダルが誘導部７１のいずれかの下側に接触すると、その誘導部７１は上方へ退避することができる。すなわち、メダルの堆積状態に応じて各誘導部７１を退避させることによって、誘導すべき抽選用ボールを適切な位置で誘導することができる。
【００３６】
すなわち、遊技要素としてメダルと抽選用ボールをフィールド面に載せる場合、フィールド面４上のメダルの堆積量が少ない場合には各誘導部７１が退避する度合いも少なくなり、そのメダルに乗っている抽選用ボールを適切な位置で誘導することができる。また、フィールド面４上のメダルの堆積量が多い場合には、各誘導部７１が上方へ退避する度合いも大きくなるが、誘導すべき抽選用ボールもそれらのメダル上に乗っているため、適切な位置で抽選用ボールを誘導することが可能となる。
【００３７】
【発明の効果】
以上説明したように、本発明のプッシャー型遊技機は、メダルおよびボール形状物をフィールド面に提供して遊技を行なうプッシャー型遊技機であって、前記フィールド面に接して相対的に往復動可能なプッシャー部と、フィールド面側部に設けられたメダル回収口と、一端が、前記プッシャー部が往復する領域近くに位置し、他端が、前記フィールド面の開放端近くに位置し、前記プッシャー部の往復動により移動するボール形状物を、前記メダル回収口方向へ移動しないよう誘導する誘導部材と、前記誘導部材が前記メダルから力を受けて上方に退避可能となるように回転自在に支持する支持部と、を備えるメダルおよびボール形状物をフィールド面に提供して遊技を行なうプッシャー型遊技機であって、前記フィールド面に接して相対的に往復動可能なプッシャー部と、フィールド面側部に設けられたメダル回収口と、一端を前記プッシャー部が往復する領域近くに位置し、他端を前記フィールド面の開放端近くに位置し、前記プッシャー部の往復動により移動するボール形状物を、前記メダル回収口方向へ移動しないよう誘導する誘導部材と、前記誘導部材を上方に退避可能に回転自在に支持する支持部と、を備えることを特徴としている。
【００３８】
このように、誘導部材が上方に退避可能に回転自在に支持されているので、誘導部材は、メダルが接触すると上方へ退避することができる。これにより、メダルがフィールド面と誘導部材との間に詰まることがなくなる。その結果、プッシャー部によってメダルを円滑に移動させることが可能となる。
【図面の簡単な説明】
【図１】本実施の形態に係るプッシャー型遊技機の全体構成を示す斜視図である。
【図２】フィールド面付近の拡大図である。
【図３】誘導部材の側面図である。
【図４】誘導部材の側面図である。
【図５】誘導部材の側面図である。
【図６】誘導部材の側面図である。
【図７】誘導部材の斜視図である。
【図８】フィールド面付近の拡大図である。
【符号の説明】
１…プッシャー型遊技機、２…ステーション、３…メダルシュータ、４…フィールド面、４ａ…開放端部、４ｂ…側壁、５…プッシャー部、６…ビデオリール部、７…抽選用ボール供給部、１０…搬送機構、１１…誘導部材、１２…誘導部、１２ａ…傾斜面、１３…アーム部、１４…回転軸、１５…支持部、２０…ルーレット部、Ｍ…メダル、７０…誘導部材、７１…誘導部、７２…アーム部、７３…回転軸、７４…支持部
【図１】
0003714670.tif 000002
【図２】
0003714670.tif 000003
【図３】
0003714670.tif 000004
【図４】
0003714670.tif 000005
【図５】
0003714670.tif 000006
【図６】
0003714670.tif 000007
【図７】
0003714670.tif 000008
【図８】
0003714670.tif 000009